(57)【要約】【課題】知識や技術を持つ有識者でなくとも機器の交換作業を容易に行うことを可能とすること。【解決手段】ネットワークに接続された機器を識別して管理するネットワーク機器の識別方法であって、識別対象の機器を識別するための情報を、前記識別対象と同一のネットワークに接続された前記識別対象以外の機器に設定パラメータとして記憶し、前記識別対象以外の機器に記憶された前記設定パラメータを用いて、隣接する前記識別対象の機器の識別を行う。【選択図】図１
2020141291.tif 000002
【特許請求の範囲】
【請求項１】
ネットワークに接続された機器を識別して管理するネットワーク機器の識別方法であって、
識別対象の機器を識別するための情報を、前記識別対象と同一のネットワークに接続された前記識別対象以外の機器に設定パラメータとして記憶し、
前記識別対象以外の機器に記憶された前記設定パラメータを用いて、隣接する前記識別対象の機器の識別を行う、
ネットワーク機器の識別方法。
【請求項２】
前記ネットワークに接続された機器の設定パラメータには、機器管理システムにアクセスし、前記機器管理システム上に蓄積された機器ごとの設定パラメータを取得するためのサービス利用アカウントの設定が記憶されており、
前記ネットワークに接続された他の機器は、前記ネットワークを介して隣接する機器から前記サービス利用アカウントの設定の情報を取得して記憶するとともに、自機器の前記識別の結果に応じて、前記機器管理システム上に蓄積された設定パラメータのうち自機器の設定パラメータを取得する、
請求項１に記載のネットワーク機器の識別方法。
【請求項３】
前記識別対象の機器を識別するための情報は、
前記識別対象の機器の製造時に機器内のメモリに書き込まれたＭＡＣアドレス、またはシリアル番号である、
請求項１又は請求項２に記載のネットワーク機器の識別方法。
【請求項４】
前記識別対象以外の機器に記憶された前記設定パラメータを用いて前記識別対象の機器の識別を行う際に、
前記識別対象の機器が、前記識別対象以外の機器を識別するための情報を有していない場合には、前記識別対象以外の機器から識別するための情報を取得する、
請求項１ないし請求項３のいずれか１項に記載のネットワーク機器の識別方法。
【請求項５】
前記識別対象を識別するための情報を外部媒体に記憶し、
前記識別対象の機器の識別を行う際に、前記識別対象以外の機器に記憶されている情報を用いて行うか、前記外部媒体に記憶した識別対象を識別するための情報を用いて行うか、を選択して、機器の識別を実行する
請求項１ないし請求項４のいずれか１項に記載のネットワーク機器の識別方法。
【請求項６】
識別対象である第１の機器と、
前記第１の機器を識別するための情報を設定パラメータとして記憶しているとともに、前記第１の機器と同一のネットワークに接続された第２の機器と、を備え、
前記第２の機器に記憶された設定パラメータを用いて、前記第１の機器の識別を行う、
ネットワーク機器の識別システム。
【請求項７】
前記第２の機器に記憶された前記設定パラメータには、機器管理システムにアクセスし、前記機器管理システム上に蓄積された機器ごとの設定パラメータを取得するためのサービス利用アカウントの設定が記憶されており、
前記ネットワークに接続された前記第１の機器は、前記ネットワークを介して前記第２の機器から前記サービス利用アカウントの設定の情報を取得して記憶するとともに、前記第１の機器の前記識別の結果に応じて、前記機器管理システム上に蓄積された設定パラメータのうち前記第１の機器の設定パラメータを取得する、
請求項６に記載のネットワーク機器の識別システム。
【請求項８】
識別対象である機器を識別するための情報を設定パラメータとして記憶しているとともに、前記識別対象である機器と同一のネットワークに接続され、前記設定パラメータを用いて、前記識別対象である機器の識別を行う、
ネットワーク機器の識別装置。
【請求項９】
前記設定パラメータには、機器管理システムにアクセスし、前記機器管理システム上に蓄積された機器ごとの設定パラメータを取得するためのサービス利用アカウントの設定が記憶されており、
前記ネットワークを介して前記識別対象である機器に前記サービス利用アカウントの設定の情報を付与するとともに、前記識別対象の機器の前記識別の結果に応じて、前記機器管理システム上に蓄積された設定パラメータのうち前記識別対象の機器の設定パラメータを、前記識別対象の機器に取得させる、
請求項８に記載のネットワーク機器の識別装置。
【発明の詳細な説明】
【技術分野】
【０００１】
本発明は、ネットワーク機器の識別方法に関する。
【背景技術】
【０００２】
ネットワークに接続された機器を管理するための機器の識別において、機器製造時に機器内のメモリ等に書き込まれたＭＡＣ（Ｍｅｄｉａ  Ａｃｃｅｓｓ  Ｃｏｎｔｒｏｌ）アドレスやシリアル番号といった機器固有の情報や、機器を設置したネットワークまたはユーザ環境を識別するために、機器設置時に同一ネットワークまたはユーザ環境内の全ての機器に対して共通的に設定し各機器内のメモリ等に保存されるネットワーク管理サービス利用アカウント等の情報が使用されている。特に、機器の個体識別を行う場合には識別の都度機器内のメモリ等から前記機器固有の情報を読み出して識別を行っていることがある。
【０００３】
また近年、ネットワークに接続された機器の設定を自動化する機能またはサービスとして、機器をネットワークに接続した時に自動でネットワーク内のサーバ等から設定パラメータが列挙された設定ファイルを取得し機器に投入する、ゼロタッチプロビジョニングが提供されている。
【０００４】
ゼロタッチプロビジョニングでは、あらかじめネットワークに接続する機器の台数分の設定ファイルを、ネットワークに接続された機器が多数の設定ファイルの中から自機器用の設定ファイルを識別し取得することができるように作成する。この設定ファイルは、機器製造時に機器に書き込まれたＭＡＣアドレスやシリアル番号といった機器固有の識別子を設定ファイル名に含める等設定ファイルの識別を可能にした形式で作成される。作成した設定ファイルは、ネットワーク内に設置されたサーバに配置される。
【０００５】
機器をネットワークに接続した際には、ネットワークに接続された機器が設定ファイルを配置したサーバから自機器用の設定ファイルを取得する。ここで、ネットワークに接続された機器が機器製造時に機器に書き込まれたＭＡＣアドレスやシリアル番号といった固有の識別子を含む形式で設定ファイルを配置したサーバに設定ファイルの取得要求を送信し、設定ファイルの取得要求を受信したサーバが設定ファイルの取得要求に含まれる前記識別子とサーバに配置された設定ファイル名等を照らし合わせることで、設定ファイルの取得要求を送信した機器に対応する設定ファイルを識別することが可能となる。
【先行技術文献】
【特許文献】
【０００６】
【特許文献１】国際公開第１９９２／２２９７２号
【特許文献２】特開２０１６−１５８１１６号公報
【特許文献３】特開２００７−０５３４８５号公報
【発明の概要】
【発明が解決しようとする課題】
【０００７】
しかしながら、前述した設定ファイルの識別方法では、ネットワークに接続された機器が故障し新たな機器に交換を行う場合には、サーバに配置した設定ファイルのファイル名等に含まれるＭＡＣアドレスやシリアル番号といった固有の識別子の情報を交換前の機器の情報から、交換後の機器の情報に変更しなければならない。したがって、設定ファイルの変更に必要な知識や技術を持つ有識者でなければ交換作業を行えず、手間もかかるという一つ目の課題がある。
【０００８】
また、ゼロタッチプロビジョニングをネットワーク内に設置したサーバからではなく、インターネットを経由したサービスとして提供する形態も利用されている。その場合、サービス提供のために構築されたサーバ上に、サービス利用者ごとの設定ファイルをまとめて配置するためのテナントと呼ばれる領域を定義し、サービス利用者に対してアクセス可能なテナントを識別するためのサービス利用アカウントを発行し、ネットワークに接続する機器に対して発行されたサービス利用アカウントを登録し、ネットワークに接続された機器があらかじめ設定されたサービス利用アカウントを含む形式で設定ファイルを配置したサーバに設定ファイルの取得要求を送信する。これにより、設定ファイルの取得要求を受信したサーバが設定ファイルの取得要求に含まれるサービス利用アカウントを利用してアクセス可能なサーバ上のテナントを特定し、特定したテナントに配置された設定ファイルを取得することが可能となる。
【０００９】
この参照先テナントの特定方法では、ネットワークに接続されるゼロタッチプロビジョニングを利用する全ての機器に対して、機器をネットワークに接続する前にあらかじめサービス利用アカウントを登録しておかなければならず、ネットワークに接続する機器の数に比例して機器設置時の作業量が膨大になる。また、ネットワークに接続する機器の設定作業の知識を持つ有識者でなければ機器の設置作業を行うことができないという制約が生じ、手動でサービス利用アカウントの設定を行うことで設定を誤る等の人為的ミスによりゼロタッチプロビジョニングが正しく動作しない可能性も生じることになる。すなわち、ゼロタッチプロビジョニングのメリットを容易に享受できないという二つ目の課題がある。
【００１０】
本開示の目的は、上述した課題を鑑み、知識や技術を持つ有識者でなくとも機器の交換作業を容易に行うことを可能とするネットワーク機器の識別方法を提供することにある。
【課題を解決するための手段】
【００１１】
一実施の形態に係るネットワーク機器の識別方法は、ネットワークに接続された機器を識別して管理するネットワーク機器の識別方法であって、識別対象の機器を識別するための情報を、前記識別対象と同一のネットワークに接続された前記識別対象以外の機器に設定パラメータとして記憶し、前記識別対象以外の機器に記憶された前記設定パラメータを用いて、隣接する前記識別対象の機器の識別を行う。
【００１２】
一実施の形態に係るネットワーク機器の識別システムは、識別対象である第１の機器と、前記第１の機器を識別するための情報を設定パラメータとして記憶しているとともに、前記第１の機器と同一のネットワークに接続された第２の機器と、を備え、前記第２の機器に記憶された設定パラメータを用いて、前記第１の機器の識別を行う。
【００１３】
一実施の形態に係るネットワーク機器の識別装置は、識別対象である機器を識別するための情報を設定パラメータとして記憶しているとともに、前記識別対象である機器と同一のネットワークに接続され、前記設定パラメータを用いて、前記識別対象である機器の識別を行う。
【発明の効果】
【００１４】
一実施の形態によれば、知識や技術を持つ有識者でなくとも機器の交換作業を容易に行うことを可能とするネットワーク機器の識別方法を提供することができる。
【図面の簡単な説明】
【００１５】
【図１】ネットワーク機器の識別システムの構成を例示した構成図である。
【図２】ネットワークの構築手順のうち機器の識別の手順を例示した図である。
【図３】機器の識別を含んだ全体のネットワークの構築手順の例示した図である。
【発明を実施するための形態】
【００１６】
図１を参照してネットワーク機器の識別方法を説明する。図１は、ユーザＡ本社ネットワーク１と、ユーザＡ支社ネットワーク２と、機器管理システム３と、がネットワークを介して繋がった識別システム１０を示す一例である。なお、ユーザＡ本社ネットワーク１とユーザＡ支社ネットワーク２に、ネットワーク機器が配置されている状態を示している。
【００１７】
より具体的には、機器管理サービス利用ユーザＡの本社および支社それぞれでインターネットに接続するためのルーターＨ０１およびＢ０１が設置され、ルーターへの接続回線を束ねる最上位スイッチＨ０２およびＢ０２が設置され、本社ネットワーク１では１階と２階の各フロアの接続回線を束ねる上位スイッチＨ１０１およびＨ２０１が設置され、各フロアで座席配置などによりグループ化された機器の接続回線を束ねる下位スイッチＨ１１０、Ｈ１２０、Ｈ２１０およびＨ２２０が設置され、各下位スイッチ配下に機器Ｈ１１１をはじめとする複数の機器が接続され、支社ネットワーク２でもフロアは分割されていないものの本社ネットワーク１と同様に上位スイッチＢ１０１、下位スイッチＢ１１０およびＢ１２０、下位スイッチに機器Ｂ１１１をはじめとする複数の機器が接続されている。
【００１８】
また機器管理システム３は、ユーザＡ用テナントとして本社および支社に設置される各ルーター、スイッチおよび機器それぞれの設定パラメータを列挙した設定ファイルが機器台数分保管された設定ファイル保管サーバＳ０１と、ネットワークに接続されたルーター、スイッチおよび機器の設置場所等の機器識別情報および稼働状況等を記憶するネットワーク構成データベースＳ０２と、ネットワーク構成データベースＳ０２に記憶された情報を基にネットワークに接続される各ルーター、スイッチおよび機器のネットワーク構成や稼働状況をブラウザ等でグラフィカルに一元集中管理する機能を提供するＧＵＩ（Ｇｒａｐｈｉｃａｌ  Ｕｓｅｒ  Ｉｎｔｅｒｆａｃｅ）アプリケーションサーバＳ０３から構成される。
【００１９】
典型的には、ルーターＨ０１，Ｂ０１は、ネットワーク間を相互接続する通信機器であり、ＯＳＩ基本参照モデルにおける第１層である物理層から第３層であるネットワーク層までの接続を担っている。
【００２０】
また、最上位スイッチＨ０２、上位スイッチＨ１０１，Ｈ２０１、および下位スイッチＨ１１０、Ｈ１２０、Ｈ２１０、Ｈ２２０は、それぞれスイッチングハブであって、データを送る必要があるポートにのみデータを送ることで、ネットワークの負荷を低減する。
【００２１】
機器Ｈ１１１〜１１３，Ｈ１２１〜１２３，Ｈ２１１〜２１３，Ｈ２２１〜２２３，Ｂ１１１〜１１３，Ｂ１２１〜１２３は、それぞれ個人または共用で用いるコンピュータである。
【００２２】
ここで、各ルーター、スイッチおよび機器は、それぞれの機器が提供する機能の動作を決定するための設定パラメータおよび機器管理サービス利用アカウントや機器を識別するための設置場所や識別子等の機器識別情報を保持するデータベースと、各ルーター、スイッチおよび機器と直接ＬＡＮ（Ｌｏｃａｌ  Ａｒｅａ  Ｎｅｔｗｏｒｋ）ケーブルで接続されるルーター、スイッチおよび機器の設置場所や識別子等の機器識別情報を保持するデータベースと、を備える。
【００２３】
また、各ルーター、スイッチおよび機器は、設定パラメータおよび機器識別情報を変更するためにＰＣ（Ｐｅｒｓｏｎａｌ  Ｃｏｎｐｕｔｅｒ）等で利用可能な保守コンソール機能を備る。さらに、各ルーター、スイッチおよび機器は、ネットワーク接続時もしくは電源投入時もしくは保守コンソールからの操作により機器管理システム３内の設定ファイル保管サーバＳ０１から設定ファイルを取得し、各ルーター、スイッチおよび機器において自身が持つデータベースに反映させる機能を備える。
【００２４】
さらに、各ルーター、スイッチおよび機器は、設定ファイル保管サーバＳ０１から設定ファイルを取得するための設定ファイル取得インタフェースと、ネットワーク構成データベースＳ０２に記憶すべき情報を通知する機器情報通知インタフェースと、直接ＬＡＮケーブルで接続されるルーター、スイッチおよび機器の機器管理サービス利用アカウントや機器識別情報を取得または通知する機器情報共有インタフェースを備える。
【００２５】
次に、図２及び図３を参照して、本実施形態のネットワークの構築手順に沿って動作を詳細に説明する。図２は、ネットワーク構築手順のうちの機器の識別の箇所を示した図であり、図３は、機器の識別を含めた全体のネットワークの構築の手順を示した一例である。
【００２６】
図２及び図３に示すように、ユーザは、設置予定のルーター、スイッチおよび機器について設定ファイルを作成し、機器管理システム３のユーザＡ用テナント上の設定ファイル保管サーバＳ０１に保管する（ステップＳ１）。
【００２７】
例えば、本社ネットワーク１に設置されるルーターＨ０１の設定ファイルは、本社ルーターＨ０１の設定ファイルであることがファイル名で識別可能となるようファイル名を「Ｒｏｕｔｅｒ−Ｈ０１」とし、設定ファイルの内容はルーターとしての動作を決定する機能設定パラメータ、機器管理システム３上のテナントを特定するためのサービス利用アカウント「ＵＳＥＲ−Ａ」、ルーターＨ０１自身の機器識別情報「Ｒｏｕｔｅｒ−Ｈ０１」、およびルーターＨ０１に接続される最上位スイッチＨ０２の機器識別情報「Ｓｗｉｔｃｈ−Ｈ０２」を含める。なお、機器管理システム３上のテナントを特定するためのサービス利用アカウントとは、言い換えると、ゼロタッチプロビジョニングを利用する際のサービス利用アカウントである。
【００２８】
他の機器の設定ファイルも同様に、どの機器の設定ファイルかが識別可能となるようファイル名を機器識別情報と同一とし、各機器の動作を決定するための機能設定パラメータ、サービス利用アカウント「ＵＳＥＲ−Ａ」、設定ファイル名と同一の機器識別情報、各機器に接続される機器の機器識別情報を含める。このように作成した設定ファイルを機器管理システム３のユーザＡ用テナント上に保管する。なお、所定の機器に対して直接接続される別の機器を、隣接する機器とする。
【００２９】
次に、本社ネットワーク１および支社ネットワーク２内でインターネットに近い側から順に機器を設置しネットワークに接続する（ステップＳ２）。
【００３０】
本社ネットワーク１内では、最初はルーターＨ０１を設置するが、この時点では本社ネットワーク１内には他の機器が設置されておらず機器識別情報やサービス利用アカウントを他の機器から取得することができない。したがって、ルーターＨ０１にはあらかじめ機器識別情報「Ｒｏｕｔｅｒ−Ｈ０１」とサービス利用アカウント「ＵＳＥＲ−Ａ」を保守コンソール等から設定パラメータとして投入しておく必要がある。
【００３１】
ルーターＨ０１がネットワークに接続されると、あらかじめルーターＨ０１に設定されたサービス利用アカウントと機器識別情報を使用して、機器管理システム３のユーザＡ用テナントの設定ファイル保管サーバＳ０１からファイル名が「Ｒｏｕｔｅｒ−Ｈ０１」の設定ファイルを取得し、取得した設定ファイルに列記された設定パラメータをルーターＨ０１に反映し動作を開始する（ステップＳ３）。
【００３２】
ルーターＨ０１の次には、最上位スイッチＨ０２を設置しルーターＨ０１に接続する（ステップＳ４）。スイッチＨ０２を設置する時点では、ルーターＨ０１が動作を開始しており、サービス利用アカウント「ＵＳＥＲ−Ａ」とスイッチＨ０２の機器識別情報「Ｓｗｉｔｃｈ−Ｈ０２」は、隣接するルーターＨ０１から取得可能となっているため、スイッチＨ０２にはサービス利用アカウントおよび機器識別情報の設定は不要となる。
【００３３】
そのため、スイッチＨ０２は事前の設定投入を行わずに設置しルーターＨ０１と接続するだけで、機器情報共有インタフェースでルーターＨ０１からサービス利用アカウント「ＵＳＥＲ−Ａ」と機器識別情報「Ｓｗｉｔｃｈ−Ｈ０２」を取得し、取得した情報を使用して機器管理システム３のユーザＡ用テナントの設定ファイル保管サーバＳ０１からファイル名が「Ｓｗｉｔｃｈ−Ｈ０２」の設定ファイルを取得できる。そして、取得した設定ファイルに列記された設定パラメータをスイッチＨ０２に反映し動作を開始する。
【００３４】
ここでスイッチＨ０２は、機器管理システム３から取得した設定ファイルに含まれていないルーターＨ０１の機器識別情報は保持していないため、動作開始後に機器情報共有インタフェースでルーターＨ０１から機器識別情報「Ｒｏｕｔｅｒ−Ｈ０１」を取得しスイッチＨ０２内に記憶する（ステップＳ５）。
【００３５】
スイッチＨ０２にルーターＨ０１の機器識別情報「Ｒｏｕｔｅｒ−Ｈ０１」を記憶しておくことで、万が一ルーターＨ０１が故障した場合には、交換後のルーターをインターネットとスイッチＨ０２に接続することで、スイッチＨ０２からサービス利用アカウントと機器識別情報を取得し、機器管理システム３から設定ファイルを取得することが可能となる。したがって、交換後のルーターにはあらかじめサービス利用アカウントと機器識別情報を登録する必要がなくなる。
【００３６】
スイッチＨ０２の次には、上位スイッチＨ１０１とＨ２０１を設置しスイッチＨ０２に接続する（ステップＳ６）。スイッチＨ１０１とＨ２０１が機器管理システム３から設定ファイルを取得しスイッチとしての動作を開始するまでの流れは、前記スイッチＨ０２がルーターＨ０１からサービス利用アカウントと機器識別情報を取得して機器管理システム３のユーザＡ用テナントの設定ファイル保管サーバＳ０１から該当のファイル名の設定ファイルを取得する仕組みと同一であるが、スイッチＨ０２の設置時と異なる点として、同一のスイッチに２つの機器を接続する点が挙げられる。
【００３７】
すなわち、スイッチＨ０２に２つのスイッチＨ１０１、Ｈ２０１を接続する場合、スイッチＨ０２は機器管理システム３から取得した設定ファイルにより自身に接続される機器として「Ｓｗｉｔｃｈ−Ｈ１０１」と「Ｓｗｉｔｃｈ−Ｈ２０１」があることを記憶しているが、接続される２つのスイッチのどちらが「Ｓｗｉｔｃｈ−Ｈ１０１」でどちらが「Ｓｗｉｔｃｈ−Ｈ２０１」であるかを識別するには情報が不足しており判断ができない。
【００３８】
そのため、どちらか判断が必要な場合には、機器識別情報としてスイッチＨ１０１およびＨ２０１の機器製造時に機器内のメモリに書き込まれたＭＡＣアドレス、またはシリアル番号等の固有の識別子を使用する。ここでは固有の識別子として、ＭＡＣアドレスを使用するものとする。
【００３９】
なお、機器識別情報として機器製造時に機器に書き込まれたＭＡＣアドレスを使用するのは、ネットワークの初回構築時に複数の機器識別情報の候補がある状態で機器を接続した場合のみである。
【００４０】
例えば、一度ネットワークを構築完了した後に機器の故障等で機器を交換する場合には、交換する機器が機器情報共有インタフェースで接続先のスイッチから機器識別情報を取得しようとした時点で、実際に機器が接続されていない機器識別情報を割り当てる論理により、故障した機器のＭＡＣアドレスを交換後の機器に対して払い出すことができる。したがって、機器管理システム３に保管された設定ファイルを変更する必要は生じない。
【００４１】
スイッチＨ１０１とＨ２０１に接続するスイッチおよび機器も同様に、接続先の機器からサービス利用アカウントと機器識別情報を取得し機器管理システム３から設定ファイルを取得することで、機器設置前に機器に対して設定が必要となるのは本社および支社ネットワーク２内の最上位機器のみとすることができる。
【００４２】
したがって、ルーター、スイッチ等を含むネットワークに接続される機器で、ゼロタッチプロビジョニングを利用する際に、機器製造時または設置時に機器に書き込まれた機器識別情報を常時使用することなく設定ファイルを取得する手段を提供することで、機器の製造時または設置時に機器に書き込まれた情報使用することで生じるＭＡＣアドレス等に由来する情報の変更といった、機器の設置、交換および管理に関わる作業の負担が軽減される。
【００４３】
言い換えると、機器交換の際に機器内のメモリ等から読み出した識別で使用する識別子が変わることにより発生する設定ファイルの変更作業等を不要とし、知識や技術を持つ有識者でなくとも機器の交換作業を容易に行うことを可能とすることができる。
【００４４】
また、ルーター、スイッチ等を含むネットワークに接続される機器の全てに対して、インターネットから提供される管理サービスの利用アカウント等の情報を登録する必要がなくなる。また、機器の設置および運用管理における、物理的な工事以外の作業をゼロタッチプロビジョニング、またはインターネットから提供される管理サービスの基盤等の上での作業に集約できることが見込まれ、容易にゼロタッチプロビジョニングまたはインターネットから提供される管理サービスを利用できる。したがって、設定作業の負荷軽減と容易なネットワークの構築と設定誤り等による障害の発生可能性を軽減することができる。
【００４５】
なお、本発明は上記実施の形態に限られたものではなく、趣旨を逸脱しない範囲で適宜変更することが可能である。
【００４６】
例えば、機器の識別情報を記憶するものとして、ネットワーク内で隣接する機器だけでなく、機器に物理的に接続されるＵＳＢ（Ｕｎｉｖｅｒｓａｌ Ｓｅｒｉａｌ Ｂｕｓ）メモリ等の外部記憶媒体を用いても良い。
【００４７】
さらに、あらかじめ機器製造時に機器に書き込まれたＭＡＣアドレスやシリアル番号といった、機器のメモリ内に記憶されている固有の識別子を外部記憶媒体に記憶しておき、機器識別を行う際には、機器のメモリ内に記憶された固有の識別子を用いるか、外部媒体に記憶した識別子を用いて機器識別を行うかを選択し、機器の識別を実行することができる。
【００４８】
また、ゼロタッチプロビジョニングを利用する際のサービス利用アカウントの設定は、隣接していない他の機器から受信することとしてもよい。さらに、識別対象の機器を識別するための情報は、前記識別対象と同一のネットワークに接続された前記識別対象以外の機器のうち、識別対象の機器とは隣接していない機器にその旨が記憶されていることを妨げない。
【符号の説明】
【００４９】
１  ユーザＡ本社ネットワーク
２  ユーザＡ支社ネットワーク
３  機器管理システム３
１０  識別システム
Ｈ０１，Ｂ０１  ルーター
Ｈ０２  最上位スイッチ
Ｈ１０１、Ｈ２０１  上位スイッチ、
Ｈ１１０、Ｈ１２０、Ｈ２１０、Ｈ２２０  下位スイッチ
Ｈ１１１〜１１３  機器
Ｈ１２１〜１２３  機器
Ｈ２１１〜２１３  機器
Ｈ２２１〜２２３  機器
Ｂ１１１〜１１３  機器
Ｂ１２１〜１２３  機器
【図１】
2020141291.tif 000003
【図２】
2020141291.tif 000004
【図３】
2020141291.tif 000005
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
ネットワークに接続された機器を識別して管理するネットワーク機器の識別方法であって、
識別対象の機器を識別するための情報を、前記識別対象と同一のネットワークに接続された前記識別対象以外の機器に設定パラメータとして記憶し、
前記識別対象以外の機器に記憶された前記設定パラメータを用いて、隣接する前記識別対象の機器の識別を行い、
前記ネットワークに接続された機器の設定パラメータには、
機器管理システムにアクセスし、
前記機器管理システム上に蓄積された機器ごとの設定パラメータを取得するためのサービス利用アカウントの設定が記憶されており、
前記ネットワークに接続された識別対象の機器は、前記ネットワークを介して識別対象以外の機器から前記サービス利用アカウントの設定の情報を取得して記憶するとともに、
識別対象の機器の前記識別の結果に応じて、前記機器管理システム上に蓄積された設定パラメータのうち識別対象の機器の設定パラメータを、
記憶された前記サービス利用アカウントの設定情報を利用して取得する、
ネットワーク機器の識別方法。
【請求項２】
前記識別対象の機器を識別するための情報は、
前記識別対象の機器の製造時に機器内のメモリに書き込まれたＭＡＣアドレス、またはシリアル番号である、
請求項１に記載のネットワーク機器の識別方法。
【請求項３】
前記識別対象以外の機器に記憶された前記設定パラメータを用いて前記識別対象の機器の識別を行う際に、
前記識別対象の機器が、前記識別対象以外の機器を識別するための情報を有していない場合には、前記識別対象以外の機器から識別するための情報を取得する、
請求項１又は２に記載のネットワーク機器の識別方法。
【請求項４】
前記識別対象を識別するための情報を外部媒体に記憶し、
前記識別対象の機器の識別を行う際に、前記識別対象以外の機器に記憶されている情報を用いて行うか、前記外部媒体に記憶した識別対象を識別するための情報を用いて行うか、を選択して、機器の識別を実行する
請求項１ないし３のいずれか１項に記載のネットワーク機器の識別方法。
【請求項５】
識別対象である第１の機器と、
前記第１の機器を識別するための情報を設定パラメータとして記憶しているとともに、前記第１の機器と同一のネットワークに接続された第２の機器と、を備え、
前記第２の機器に記憶された設定パラメータを用いて、前記第１の機器の識別を行い、
前記第２の機器に記憶された前記設定パラメータには、機器管理システムにアクセスし、前記機器管理システム上に蓄積された機器ごとの設定パラメータを取得するためのサービス利用アカウントの設定が記憶されており、
前記ネットワークに接続された前記第１の機器は、前記ネットワークを介して前記第２の機器から前記サービス利用アカウントの設定の情報を取得して記憶するとともに、前記第１の機器の前記識別の結果に応じて、前記機器管理システム上に蓄積された設定パラメータのうち前記第１の機器の設定パラメータを、記憶された前記サービス利用アカウントの設定情報を利用して取得する、
ネットワーク機器の識別システム。
【請求項６】
前記識別対象の機器を識別するための情報は、
前記識別対象の機器の製造時に機器内のメモリに書き込まれたＭＡＣアドレス、またはシリアル番号である、
請求項５に記載のネットワーク機器の識別システム。
【請求項７】
前記識別対象以外の機器に記憶された前記設定パラメータを用いて前記識別対象の機器の識別を行う際に、
前記識別対象の機器が、前記識別対象以外の機器を識別するための情報を有していない場合には、前記識別対象以外の機器から識別するための情報を取得する、
請求項５又は６に記載のネットワーク機器の識別システム。
【請求項８】
前記識別対象を識別するための情報を外部媒体に記憶し、
前記識別対象の機器の識別を行う際に、
前記識別対象以外の機器に記憶されている情報を用いて行うか、前記外部媒体に記憶した識別対象を識別するための情報を用いて行うか、を選択して、機器の識別を実行する
請求項５ないし７のいずれか１項に記載のネットワーク機器の識別システム。
【請求項９】
識別対象である機器を識別するための情報を設定パラメータとして記憶しているとともに、
前記識別対象である機器と同一のネットワークに接続され、
前記設定パラメータを用いて、前記識別対象である機器の識別を行い、
前記設定パラメータには、機器管理システムにアクセスし、前記機器管理システム上に蓄積された機器ごとの設定パラメータを取得するためのサービス利用アカウントの設定が記憶されており、
前記ネットワークを介して前記識別対象である機器に前記サービス利用アカウントの設定の情報を付与するとともに、前記識別対象の機器の前記識別の結果に応じて、前記機器管理システム上に蓄積された設定パラメータのうち前記識別対象の機器の設定パラメータを、前記サービス利用アカウントの設定情報を利用して、前記識別対象の機器に取得させる、
ネットワーク機器の識別装置。